(57)【要約】【課題】少ない工数で構築でき、しかも木材を用いていながら燃え難い、木材による壁構造体およびその構築方法を提供する。【解決手段】水平に配置された土台１０に載せられた複数枚の木質壁単体２０であって壁面と垂直方向において燃え代耐火厚以上の厚さを有する木質壁単体２０と、木質壁単体を土台１０に固定する下固定部材３０と、木質壁単体同士を連結し、木質壁単体同士の相対的な上下動と壁面と垂直方向への移動とを防止する連結部材４０と、木質壁単体同士の連結部２１における対向面において上下方向全長に亘って設けられ、対向面間を気密に維持する気密手段５０と、木質壁単体の上方に配置された横架材６０に木質壁単体を固定する上固定部材７０とを備えている。木質壁単体は横方向から移動させてから木質壁単体同士を連結部材で連結する。【選択図】　　　　図３
2004143911.tif 000002
【特許請求の範囲】
【請求項１】
水平に配置された土台と、
この土台に載せられた複数枚の木質壁単体であって、壁面と垂直方向において燃え代耐火厚以上の厚さを有する木質壁単体と、
上記複数枚の木質壁単体を前記土台に固定する下固定部材と、
上記複数枚の木質壁単体同士をその内部で連結し、木質壁単体同士の相対的な上下動と壁面と垂直方向への移動とを防止する連結部材と、
上記複数枚の木質壁単体同士の連結部における対向面において上下方向全長に亘って設けられ、前記対向面間を気密に維持する気密手段と、
上記複数枚の木質壁単体の上方に配置された横架材と、
この横架材に上記複数枚の木質壁単体を固定する上固定部材と、
を備えていることを特徴とする木材による壁構造体。
【請求項２】
請求項１記載の木材による壁構造体を構築するに際し、前記気密手段を介して前記木質壁単体を横方向から移動させてから木質壁単体同士を前記連結部材で連結することを特徴とする壁構造体の構築方法。
【請求項３】
前記土台には、この土台に沿って前記木質壁単体を水平移動方向へ案内するガイド部材が設けられていることを特徴とする請求項１記載の木材による壁構造体。
【請求項４】
前記ガイド部材が、前記複数枚の木質壁単体の下部と前記土台との間を気密に維持する気密部材となっていることを特徴とする請求項３記載の木材による壁構造体。
【請求項５】
前記気密手段が前記連結部材を兼ねていることを特徴とする請求項１〜４のうちいずれか一項に記載の木材による壁構造体。
【発明の詳細な説明】
【０００１】
【発明の属する技術分野】
本発明は、木材による壁構造体およびその構築方法に関する。より詳しくは、本来、燃える性質を有している木材を用いて、燃え難い壁を作る技術に関するものである。
【０００２】
【従来の技術】
図１６（ａ）（ｂ）はそれぞれ従来の壁構造体を示す平面図で、（ａ）は在来の一般的な木造住宅の壁構造体を、（ｂ）は２×４住宅による壁構造体を示している。
図（ａ）に示す壁構造体は、土台１の上に複数本の柱２を立て、柱２同士の間にさらに間柱３を配置し、それらの間に断熱材４を設ける。そして外側には、柱２および間柱３に縦胴縁５を介して木ズリ板６を設け、その外側に、燃えない材料からなる外壁材７を設けてある。一方、内側には、燃えない石膏ボード８を設け、さらにその内側に内装仕上げ９を施してある。
図（ｂ）に示す壁構造体は、土台１の上に、内部に断熱材４を有する２×４の木製パネルＰを複数枚配置する。そして外側には、縦胴縁５を介して木ズリ板６を設け、その外側に、燃えない材料からなる外壁材７を設けてある。一方、内側には、燃えない石膏ボード８を設け、さらにその内側に内装仕上げ９を施してある。
（ａ）（ｂ）いずれの壁構造体も、その外側に燃えない材料からなる外壁材７が設けられ、内側には、石膏ボード８が設けられているので、防火構造となっている。
【０００３】
【発明が解決しようとする課題】
上述した従来の壁構造体では、（ａ）（ｂ）いずれの構造も、これを燃え難くするために、その外側には外壁材７を、内側には石膏ボード８を設ける必要があったため、その構築に工数が掛かるという問題があった。
一方、木材は、一般的に燃えやすいと考えられているため、木材をむき出しで使用する場合、柱、梁、燃えてしまうことを前提とした壁、力を受けなくても良い壁、等々としては用いられていたが、表面に防火材を設けることなくそれ自身で炎の延焼を一定時間防ぎかつ荷重を担う防火構造壁としては用いられていなかった。
【０００４】
この発明の目的は、上記のような問題を解決し、少ない工数で構築でき、しかも木材を用いていながら燃え難い、木材による壁構造体およびその構築方法を提供することにある。
【０００５】
【課題を解決するための手段】
上記目的を達成するために請求項１記載の木材による壁構造体は、水平に配置された土台と、
この土台に載せられた複数枚の木質壁単体であって、壁面と垂直方向において燃え代耐火厚以上の厚さを有する木質壁単体と、
上記複数枚の木質壁単体を前記土台に固定する下固定部材と、
上記複数枚の木質壁単体同士をその内部で連結し、木質壁単体同士の相対的な上下動と壁面と垂直方向への移動とを防止する連結部材と、
上記複数枚の木質壁単体同士の連結部における対向面において上下方向全長に亘って設けられ、前記対向面間を気密に維持する気密手段と、
上記複数枚の木質壁単体の上方に配置された横架材と、
この横架材に上記複数枚の木質壁単体を固定する上固定部材と、
を備えていることを特徴とする。
請求項２記載の壁構造体の構築方法は、請求項１記載の木材による壁構造体を構築するに際し、前記気密手段を介して前記木質壁単体を横方向から移動させてから木質壁単体同士を前記連結部材で連結することを特徴とする。
請求項３記載の木材による壁構造体は、請求項１記載の木材による壁構造体において、前記土台には、この土台に沿って前記木質壁単体を水平移動方向へ案内するガイド部材が設けられていることを特徴とする。
請求項４記載の木材による壁構造体は、請求項３記載の木材による壁構造体において、前記ガイド部材が、前記複数枚の木質壁単体の下部と前記土台との間を気密に維持する気密部材となっていることを特徴とする。
請求項５記載の木材による壁構造体は、請求項１〜４のうちいずれか一項に記載の木材による壁構造体において、前記気密手段が前記連結部材を兼ねていることを特徴とする。
【０００６】
【作用効果】
請求項１記載の木材による壁構造体は、水平に配置された土台と、
この土台に載せられた複数枚の木質壁単体であって、壁面と垂直方向において燃え代耐火厚以上の厚さを有する木質壁単体と、
上記複数枚の木質壁単体を前記土台に固定する下固定部材と、
上記複数枚の木質壁単体同士をその内部で連結し、木質壁単体同士の相対的な上下動と壁面と垂直方向への移動とを防止する連結部材と、
上記複数枚の木質壁単体同士の連結部における対向面において上下方向全長に亘って設けられ、前記対向面間を気密に維持する気密手段と、
上記複数枚の木質壁単体の上方に配置された横架材と、
この横架材に上記複数枚の木質壁単体を固定する上固定部材と、
を備えているので、この木材による壁構造体によれば、次のような作用効果が得られる。
すなわち、土台に載せられて下固定部材で土台に固定され、相互に連結されて相対的な上下動と壁面と垂直方向への移動とが防止され、上方に配置された横架材に上固定部材で固定された複数枚の木質壁単体が、壁面と垂直方向において燃え代耐火厚以上の厚さを有しているので、燃え代耐火厚以上には燃え難い。
また、仮に、複数枚の木質壁単体同士を単に連結した構造とすると、燃焼している側と、その反対側との間において、連結部の隙間を通じて空気が供給され、燃焼が助長されて反対側にも炎が及んでしまうこととなるが、この請求項１記載の木材による壁構造体によれば、複数枚の木質壁単体同士の連結部における対向面には、その上下方向全長に亘って対向面間を気密に維持する気密手段が設けられているので、この気密手段によって、燃焼している側と、その反対側との間における空気の流れが遮断され、炎が反対側に及びにくくなる。したがって、壁全体としても、例えばこの壁構造体を用いた家屋の内部で火災が発生した場合に、壁の外側から内側へ流れようとする空気が遮断されることとなり、火災が延焼したり大きくなることを一定時間防止することができる。
結果として、この壁構造体によれば、木材を用いていながら燃え難い壁が得られることとなる。
したがってまた、この壁構造体によれば、従来必要とされたような外壁材７，石膏ボード８（図１６参照）が不要となるので、少ない工数で構築することができる。
さらに、外壁材７や石膏ボード８が不要となることから、木材を室内外に露出させることもでき、しかも、木質壁単体同士の相対的な上下動と壁面と垂直方向への移動とを防止する連結部材が木質壁単体同士をその内部で連結していることから、木材本来の優れた性質（調湿性、断熱性等）や見た目の美しさを活用することができるようになる。
請求項２記載の壁構造体の構築方法は、請求項１記載の木材による壁構造体を構築するに際し、前記気密手段を介して前記木質壁単体を横方向から移動させてから木質壁単体同士を前記連結部材で連結する方法であるので、この方法によれば、請求項１記載の木材による壁構造体を容易に構築することが可能となる。
請求項３記載の木材による壁構造体によれば、請求項１記載の木材による壁構造体において、前記土台には、この土台に沿って前記木質壁単体を水平移動方向へ案内するガイド部材が設けられているので、このガイド部材を利用して木質壁単体を横方向から容易に移動させることができる。
したがって、壁構造体を一層容易に構築することが可能となる。
請求項４記載の木材による壁構造体によれば、請求項３記載の木材による壁構造体において、前記ガイド部材が、前記複数枚の木質壁単体の下部と前記土台との間を気密に維持する気密部材となっているので、例えばこの壁構造体を用いた家屋の内部で火災が発生した場合に、壁の外側から内側へ流れようとする空気がより確実に遮断されることとなる。したがって、上記火災が大きくなることをより確実に防止することができる。
請求項５記載の木材による壁構造体によれば、請求項１〜４のうちいずれか一項に記載の木材による壁構造体において、前記気密手段が前記連結部材を兼ねているので、壁構造体を一層容易にかつ簡単な構成で構築することが可能となる。
【０００７】
【発明の実施の形態】
以下、本発明の実施の形態について図面を参照して説明する。
＜第１の実施の形態＞
図１は本発明に係る木材による壁構造体およびその構築方法の第１の実施の形態を示す部分省略斜視図、図２は同じく詳細を示す図で、（ａ）は図１における部分省略縦断面図、（ｂ）は図（ａ）におけるｂ−ｂ断面図、（ｃ）は図（ｂ）の部分拡大図、（ｄ）は図（ａ）における右側の木質壁単体２０Ｂを取り外して矢印ｄ方向から見た図、（ｅ）は図（ｄ）の部分拡大図である。また、図３は主として構築方法を示す分解斜視図である。
【０００８】
これらの図に示すように、この壁構造体は、水平に配置された土台１０と、この土台１０に載せられた複数枚の木質壁単体であって、壁面と垂直方向（図２（ｂ）において上下方向）において燃え代耐火厚以上の厚さＴを有する木質壁単体２０・・・と、複数枚の木質壁単体２０を土台１０に固定する下固定部材３０と、複数枚の木質壁単体２０同士をその内部で連結し、木質壁単体２０同士の相対的な上下動と壁面と垂直方向への移動とを防止する連結部材４０と、複数枚の木質壁単体２０同士の連結部２１における対向面２２，２３（図３参照）において上下方向全長に亘って設けられ、対向面２２，２３間を気密に維持する気密手段５０と、複数枚の木質壁単体２０の上方に配置された横架材６０と、この横架材６０に上記複数枚の木質壁単体２０を固定する上固定部材７０とを備えている。
【０００９】
土台１０は、例えば図示のように、基礎１１の上に基礎パッキン（あるいはモルタル等）１２を介して設けられている。土台１０は、木質壁単体２０・・・の下部を連結して固定するためのもので、後述する下固定部材３０のための穴１３が設けられている。
土台１０には、この土台に沿って木質壁単体２０を水平移動方向へ案内するガイド部材１４が設けられている。ガイド部材１４は、土台１０自体をガイド部材１４を有する形状に加工することによって土台１０と一体的に構成することもできるし、図２（ｅ）に示すように、角材を土台１０に釘１５等で打ち付けることによって、土台１０と一体的に構成することもできる。このガイド部材１４は、後述するようにして木質壁単体２０の下部が土台１０に固定されると、木質壁単体２０の下部と土台１０との間を気密に維持する気密部材としての役割も果たす。
【００１０】
木質壁単体２０は、一枚の板でも構成できるが、この実施の形態では、図１に示すように、複数本の角材（木材）２４を接着剤２５で接合してなる集成材パネルで構成してある。この木質壁単体２０は、例えば、その幅Ｗ（図２（ｂ）参照）が４５ｃｍ、奥行き（厚さ）Ｔが１２ｃｍ、高さＨ（図２（ｄ）参照）が２００ｃｍ〜６００ｃｍである。厚さＴを３ｃｍ以上とすることにより防火構造壁を構築することができ、厚さＴを８ｃｍ以上とすることにより準耐火構造壁を構築することができる。この実施の形態では、厚さＴを１２ｃｍとしてあるので、準耐火構造壁が構築される。
木質壁単体２０の下部には、前述したガイド部材１４に案内され、かつ土台１０に固定された後はガイド部材１４と密に接する凹溝２６が設けられている。
また、木質壁単体２０の両側面（対向面２２，２３）には、後述するドリフトピン（連結部材）４０を挿入するための穴２７が設けられている。
【００１１】
下固定部材３０は、鉄板３１にボルト３２を溶接した、いわゆる羽子板ボルトで構成してある。鉄板３１には、連結部材４０であるドリフトピン（４０）のための挿入穴３３が設けられている。
【００１２】
気密手段５０は、木質壁単体２０同士の連結部２１における対向面２２，２３間を気密に維持することができる手段であれば良く、この実施の形態では、図３に示すような、自由状態で断面形状略Ｄ字形のチューブ状の耐火シリコンガスケットで構成してある。なおこの耐火シリコンガスケット５０は、後述するように木質壁単体２０同士が接合（連結）されると、図１，図２に示すように、押し潰されるようにして木質壁単体２０同士の連結部２１における対向面２２，２３に密に接し、対向面２２，２３間を気密に維持する。
木質壁単体２０の一側面（図示のものは右側面）には気密手段５０を装着するための切り込み凹溝２８（図３参照）が設けられている。
【００１３】
横架材６０は、木質壁単体２０・・・の上部を連結して固定するためのもので、後述する上固定部材７０のための穴６１（図３参照）が設けられている。
横架材６０にも、上記ガイド部材１４と同様なガイド部材１４’が設けられており、したがって、木質壁単体２０の上部にも、ガイド部材１４’と密に接する凹溝２６’が設けられている。このガイド部材１４’も、木質壁単体２０の上部と横架材６０との間を気密に維持する気密部材としての役割を果たす。
【００１４】
図３に示すように、上固定部材７０は、下固定部材３０同様、鉄板７１にボルト７２を溶接した、羽子板ボルトで構成してある。鉄板７１には、連結部材４０であるドリフトピン４０のための挿入穴７３が設けられている。
【００１５】
以上のような壁構造体は、例えば次のようにして構築する。主として図３を参照して説明する。
【００１６】
（ｉ）図３に示すように、第１枚目の木質壁単体２０（２０Ａ）を土台１０上に設置し、その左端部（図示されていない）を適宜の固定手段で固定する。
【００１７】
（ｉｉ）第１枚目の木質壁単体２０（２０Ａ）の右側面に設けられている切り込み凹溝２８に、耐火シリコンガスケット５０の平面部５１を合わせるようにして耐火シリコンガスケット５０を装着する（図中破線矢印ａ参照）。
【００１８】
（ｉｉｉ）下固定部材３０の鉄板３１で耐火シリコンガスケット５０の下部を押さえ込むようにしつつ、下固定部材３０のボルト３２を土台１０の穴１３に挿入し（図中破線矢印ｂ参照）、木質壁単体２０Ａの穴２７と下固定部材３０の穴３３とを合わせ、これらの穴３３，２７にドリフトピン４０を挿入した後（図中破線矢印ｃ参照）、土台１０の下方から（基礎１１と土台１０との間の空間であって基礎パッキン１２同士の間の空間を利用して）ナット３４で座金３５を介して締め付け固定する（図２（ｅ）参照）。
【００１９】
（ｉｖ）耐火シリコンガスケット５０の上部を上固定部材７０の鉄板７１で押さえ込むようにしつつ、木質壁単体２０Ａの上部の穴２７と上固定部材７０の穴７３とを合わせ、これらの穴７３，２７にドリフトピン４０を挿入し（図中破線矢印ｄ参照）、上固定部材７０を木質壁単体２０Ａに仮装着する。なお、この際、横架材６０を、上記の作業を妨げないような余裕を持たせて配置しておき、上固定部材７０の鉄板７１で耐火シリコンガスケット５０の上部を押さえ込むようにしつつ、上固定部材７０のボルト７２を横架材６０の穴６１に挿入し（図中破線矢印ｅ参照）、木質壁単体２０Ａの穴２７と上固定部材７０の穴７３とを合わせてドリフトピン４０を挿入し、上固定部材７０を木質壁単体２０Ａおよび横架材６０に仮装着するようにすることもできる。
【００２０】
（ｖ）木質壁単体２０Ａの右側面２２にある穴２７の全てにドリフトピン４０を挿入する（図中破線矢印ｆ参照）。
【００２１】
（ｖｉ）２枚目の木質壁単体２０（２０Ｂ）を土台１０の上に載置し、ガイド部材１４に案内させ、１枚目の木質壁単体２０Ａに向けて矢印ｇで示すように、横方向から移動させ、全てのドリフトピン４０の右側を２枚目の木質壁単体２０Ｂの左側面２３に設けられている穴２７に挿入しつつ、２枚目の木質壁単体２０Ｂをさらに移動させ、その側面（左側面）２３を１枚目の木質壁単体２０Ａの右側面２２に密着させる。これによって、１枚目の木質壁単体２０Ａと２枚目の木質壁単体２０Ｂとがドリフトピン４０で連結されるとともに、際耐火シリコンガスケット５０が押し潰されるようにして、木質壁単体２０Ａ、２０Ｂ同士の連結部２１における対向面２２，２３に密に接し、対向面２２，２３間を気密に維持する（図１，図２参照）。なお、木質壁単体２０（２０Ｂ）の左側面２３の上下には、上固定部材７０を逃がすための切り込み（凹所）２３ａと、下固定部材３０を逃がすための切り込み（凹所）２３ｂが設けられているので、上記木質壁単体２０同士の密着は妨げられない。
【００２２】
（ｖｉｉ）以上のような作業を、所望の枚数分だけ繰り返した後、横架材６０のの上方から全ての上固定部材７０・・・のボルト７２にナット７４を座金７５を介して螺合させ、締め付け固定する。
なお、上固定部材７０を仮装着する際に、横架材６０を配置しておかなかった場合には、上述したような土台１０上への全ての木質壁単体２０の立設（したがってまた全ての上固定部材７０の仮装着）が終了した後、全ての上固定部材７０のボルト７２が横架材６０の穴６１にそれぞれ挿入されるように横架材６０を上方から設置し、上記ナット７４による締め付け作業を行う。
【００２３】
以上のようにして壁構造体（防火構造壁であり準耐火構造壁）を構築することができる。
【００２４】
以上のような木材による壁構造体ないしその構築方法によれば、次のような作用効果が得られる。
（ａ）この壁構造体は、水平に配置された土台１０と、この土台１０に載せられた複数枚の木質壁単体であって、壁面と垂直方向において燃え代耐火厚以上の厚さＴを有する木質壁単体２０と、複数枚の木質壁単体２０を土台１０に固定する下固定部材３０と、複数枚の木質壁単体２０同士を連結し、木質壁単体２０同士の相対的な上下動と壁面と垂直方向への移動とを防止する連結部材４０と、複数枚の木質壁単体２０同士の連結部２１における対向面２２，２３において上下方向全長に亘って設けられ、対向面２２，２３間を気密に維持する気密手段５０と、複数枚の木質壁単体２０の上方に配置された横架材６０と、この横架材６０に複数枚の木質壁単体２０を固定する上固定部材７０とを備えているので、この木材による壁構造体によれば、次のような作用効果が得られる。
すなわち、土台１０に載せられて下固定部材３０で土台１０に固定され、相互に連結されて相対的な上下動と壁面と垂直方向への移動とが防止され、上方に配置された横架材６０に上固定部材７０で固定された複数枚の木質壁単体２０が、壁面と垂直方向において燃え代耐火厚以上の厚さＴを有しているので、燃え代耐火厚Ｔ以上には燃え難い。
また、仮に、複数枚の木質壁単体２０同士を単に（気密手段５０を設けることなく）連結した構造とすると、燃焼している側と、その反対側との間において、連結部２１の隙間を通じて空気が供給され、燃焼が助長されて反対側にも炎が及んでしまうこととなるが、この実施の形態の木材による壁構造体によれば、複数枚の木質壁単体２０同士の連結部２１における対向面２２，２３には、その上下方向全長に亘って対向面２２，２３間を気密に維持する気密手段５０が設けられているので、この気密手段５０によって、燃焼している側と、その反対側との間における空気の流れが遮断され、炎が反対側に及びにくくなる。したがって、壁全体としても、例えばこの壁構造体を用いた家屋の内部で火災が発生した場合に、壁の外側から内側へ流れようとする空気が遮断されることとなり、火災が延焼したり大きくなることを一定時間防止することができる。
結果として、この壁構造体によれば、木材を用いていながら燃え難い壁が得られることとなる。
したがってまた、この壁構造体によれば、従来必要とされたような外壁材７，石膏ボード８（図１６参照）が不要となるので、少ない工数で構築することができる。
さらに、外壁材７や石膏ボード８が不要となることから、木材を室内外に露出させることもでき、しかも、木質壁単体２０同士の相対的な上下動と壁面と垂直方向への移動とを防止する連結部材４０が木質壁単体２０同士をその内部で連結していることから、木材本来の優れた性質（調湿性、断熱性等）や見た目の美しさを活用することができるようになる。
（ｂ）この壁構造体の構築方法は、壁構造体を構築するに際し、気密手段５０を介して木質壁単体２０を横方向から移動させてから木質壁単体２０同士を連結部材４０で連結する方法であるので、この方法によれば、上記壁構造体を容易に構築することが可能となる。
（ｃ）この壁構造体によれば、土台１０には、この土台１０に沿って木質壁単体２０を水平移動方向へ案内するガイド部材１４が設けられているので、このガイド部材１４を利用して木質壁単体２０を横方向から容易に移動させることができる。
したがって、壁構造体を一層容易に構築することが可能となる。
（ｄ）ガイド部材１４が、複数枚の木質壁単体２０の下部と土台１０との間を気密に維持する気密部材となっているので、例えばこの壁構造体を用いた家屋の内部で火災が発生した場合に、壁の外側から内側へ流れようとする空気がより確実に遮断されることとなる。したがって、上記火災が大きくなることをより確実に防止することができる。
さらにこの実施の形態では、横架材６０にも、上記ガイド部材１４と同様なガイド部材１４’が設けられており、このガイド部材１４’も、木質壁単体２０の上部と横架材６０との間を気密に維持する気密部材としての役割を果たすので、上記火災が大きくなることをより一層確実に防止することができる。
【００２５】
＜第２の実施の形態＞
図４は本発明に係る木材による壁構造体およびその構築方法の第２の実施の形態を示す部分省略正面図、図５は同じく詳細を示す図で、（ａ）は図４における部分省略縦断面図、（ｂ）は図（ａ）の左側面図、（ｃ）は図（ａ）におけるｃ−ｃ断面図、（ｄ）は図（ａ）における部分省略ｄ−ｄ拡大断面図、（ｅ）は図（ｃ）の部分拡大図、（ｆ）は図（ａ）における部分省略ｆ−ｆ拡大断面図である。これらの図において、上記第１の実施の形態と同一部分ないし相当する部分には同一の符号を付してある。
【００２６】
この実施の形態が上記第１の実施の形態と主に異なる点は、下固定部材と、上固定部材を変更した点にあり、その他の点に主な変わりはない。
この実施の形態における下固定部材８０は、ホールダウンパイプで構成してある。このホールダウンパイプ８０は、その一端にピン４１を挿入する穴８１が設けられており、他端には、ピン４２を上記ピン４１と直交する方向に２本挿入するための穴８２，８２が設けられている。
上固定部材９０も、上記と同様なホールダウンパイプで構成してあり、このホールダウンパイプ９０の一端にはピン４１を挿入する穴９１が、他端には、ピン４２を上記ピン４１と直交する方向に２本挿入するための穴９２，９２が設けられている。なお、下固定部材８０と上固定部材９０は、同一部材であり、天地を逆にして利用している。この点、上記第１の実施の形態における下固定部材３０，上固定部材７０も同様であり、同一部材である。
【００２７】
この実施の形態の壁構造体は、例えば次のようにして構築する。
（ｉ）第１の実施の形態と同様、第１枚目の木質壁単体２０（２０Ａ）を土台１０上に設置し、その左端部（図示されていない）を適宜の固定手段で固定する。
【００２８】
（ｉｉ）第１の実施の形態と同様、第１枚目の木質壁単体２０（２０Ａ）の右側面に設けられている切り込み凹溝２８に、耐火シリコンガスケット５０の平面部５１を合わせるようにして耐火シリコンガスケット５０を装着する。
【００２９】
（ｉｉｉ）穴８３が設けられた埋木８４を用意しておき、ピン４１で埋木８４と下固定部材８０とを連結すると共に、下固定部材８０の下部を土台１０の縦穴１６に挿入し、土台１０の横穴１７，１７および下固定部材８０の穴８２，８２にそれぞれピン４２を挿入して埋木８４および下固定部材８０を土台１０に固定する。なお、ピン４１の左端は左側の（第１枚目の）木質壁単体２０Ａに挿入させても良い。
【００３０】
（ｉｖ）一方、第２枚目の木質壁単体２０Ｂの上部には、予め、その縦穴２９ａに上固定部材９０の下部を挿入し、木質壁単体２０Ｂの横穴２９ｂおよび上固定部材９０の穴９１に左方からピン４１を挿入し、上固定部材９０を木質壁単体２０Ｂに固定しておく。
【００３１】
（ｖ）第１の実施の形態と同様、木質壁単体２０Ａの右側面２２にある穴２７の全てにドリフトピン４０を挿入する。
【００３２】
（ｖｉ）２枚目の木質壁単体２０（２０Ｂ）を土台１０の上に載置し、ガイド部材１４に案内させ、１枚目の木質壁単体２０Ａに向けて、横方向から移動させ、全てのドリフトピン４０の右側を２枚目の木質壁単体２０Ｂの左側面２３に設けられている穴２７に挿入し、また下方のピン４１の右側を木質壁単体２０Ｂの横穴２７ａに挿入し、２枚目の木質壁単体２０Ｂをさらに移動させ、その側面（左側面）２３を１枚目の木質壁単体２０Ａの右側面２２に密着させる。これによって、１枚目の木質壁単体２０Ａと２枚目の木質壁単体２０Ｂとがドリフトピン４０で連結されるとともに、際耐火シリコンガスケット５０が押し潰されるようにして、木質壁単体２０Ａ、２０Ｂ同士の連結部２１における対向面２２，２３に密に接し、対向面２２，２３間を気密に維持する。
【００３３】
（ｖｉｉ）以上のような作業を、所望の枚数分だけ繰り返した後、横架材６０を載せるようにして、全ての上固定部材９０の上部を横架材６０の縦穴６２に挿入し、横架材６０の横穴６３，６３および上固定部材９０の穴９２，９２にそれぞれピン４２を挿入して木質壁単体２０の上部を上固定部材９０で横架材６０に固定する。
【００３４】
この実施の形態の壁構造体は、以上のようにして構築することができる。
なお、下固定部材８０および上固定部材９０は全ての木質壁単体２０に対して設けることもできるが、図４に示すように、複数枚（図示のものは３枚）の木質壁単体２０につき一対設けるようにすることもできる。
【００３５】
この実施の形態の壁構造体ないしその構築方法によっても、第１の実施の形態と同様な作用効果が得られる。
【００３６】
＜第３の実施の形態＞
図６は本発明に係る木材による壁構造体およびその構築方法の第３の実施の形態を示す図で、（ａ）は部分省略正面図、（ｂ）は図（ａ）の部分拡大図、（ｃ）は図（ｂ）におけるｃ−ｃ断面図である。図６において、上記第１の実施の形態と同一部分ないし相当する部分には同一の符号を付してある。
【００３７】
この実施の形態が上記第１の実施の形態と主に異なる点は、下固定部材と連結部材とを兼用させ、また上固定部材と連結部材とを兼用させた点にあり、その他の点に主な変わりはない。
この実施の形態における下固定部材兼連結部材１００は、プレート（例えば鉄板）と、このプレート１００、土台１０、及び木質壁単体２０に挿入されるピン１１１〜１１８とで構成してある。プレート１００には、ピン１１１〜１１８を挿入するための穴１０１が設けられている。土台１０には、プレート１００を嵌め込むための切り込み１８とピン１１１〜１１４を挿入（圧入）するための穴１９が設けられている。また、木質壁単体２０の下両角部にも、プレート１００を嵌め込むための切り込み２０ｃとピン１１５〜１１８を挿入（圧入）するための穴２０ｄが設けられている。
上固定部材兼連結部材も、上記と同様なプレート１００とピン１１１〜１１８とで構成してあり、横架材６０には、プレート１００を嵌め込むための切り込み６４とピン１１１〜１１４を挿入（圧入）するための穴６５とが設けられている。また、木質壁単体２０の上両角部にも、上記と同様、プレート１００を嵌め込むための切り込み２０ｃとピン１１５〜１１８を挿入（圧入）するための穴２０ｄが設けられている。
【００３８】
この実施の形態の壁構造体は、例えば次のようにして構築することができる。
（ｉ）予め、土台１０に、全ての木質壁単体２０のためのプレート（下プレート）１００を差し込み、ピン１１１〜１１４で固定しておく。なお後述するように下プレート１００は、木質壁単体２０１枚毎に順次１枚ずつ固定するようにすることもできる。
その後、第１枚目の木質壁単体２０（２０Ａ）を、その右下角の切り込み２０ｃにプレート１００の左上部を嵌め合わせるようにして土台１０上に設置し、第１枚目の木質壁単体２０（２０Ａ）の左端部（図示されていない）を適宜の固定手段で固定する。また、木質壁単体２０の右下角の穴２０ｄにピン１１５，１１６を差し込んで第１枚目の木質壁単体２０（２０Ａ）右下角も土台１０に固定する。
【００３９】
（ｉｉ）第１の実施の形態と同様、第１枚目の木質壁単体２０（２０Ａ）の右側面に設けられている切り込み凹溝２８に、耐火シリコンガスケット５０の平面部５１を合わせるようにして耐火シリコンガスケット５０を装着する。
【００４０】
（ｉｉｉ）第２枚目の木質壁単体２０Ｂを第１枚目の木質壁単体２０Ａに僅かな間隔をもって隣接させ、上方から落とし込むようにして、また、下部両角の切り込み２０ｃ，２０ｃを第１枚目のプレート１００の右上角部と第２枚目のプレート１００の左上角部とに嵌め合わせつつ、かつ第２枚目の木質壁単体２０Ｂを第１枚目の木質壁単体２０Ａに密着させるようにして土台１０上に設置する。このため、この実施の形態においては前述したガイド部材１４（図１等参照）は必ずしも設ける必要はない。
【００４１】
（ｉｖ）第２枚目の木質壁単体２０Ｂの下部両角の２０ｃ，２０ｃを第１枚目のプレート１００の右上角部と第２枚目のプレート１００の左上角部とにピン１１５〜１１８で固定する（木質壁単体２０の穴２０ｄおよびプレート１００の穴１０１にピンを挿入して固定する）。なお、このピン１１５〜１１８による固定作業は後でまとめて行うこともできる。
【００４２】
（ｖ）第１枚目の木質壁単体２０（２０Ａ）の右上角部及び第２枚目の木質壁単体２０（２０Ｂ）の左上角部の切り込み２０ｃ，２０ｃにプレート（上プレート）１００の下部を上方から嵌め込み、第１枚目の木質壁単体２０（２０Ａ）の右上角部、第２枚目の木質壁単体２０（２０Ｂ）の左上角部、および上プレート１００の下部にピン（上ピン）１１５〜１１８を差し込んで上記各部を連結する。なお、この連結作業は後でまとめて行うこともできる。
【００４３】
（ｖｉ）以上のような作業を、所望の枚数分だけ繰り返した後、横架材６０を載せるようにして、全ての上プレート１００の上部を横架材６０の切り込み６４に嵌め合わせ、横架材６０の横穴６５およびプレート１００の穴１０１にピン１１１〜１１４を差し込んで木質壁単体２０の上部を上プレート１００で横架材６０に固定する。
以上のようにして、全てのプレート１００に全てのピン１１１〜１１８が差し込まれた状態では、全ての木質壁単体２０同士がプレート１００及びピンで連結されてその対向面２２，２３同士が密着すると共に、耐火シリコンガスケット５０が押し潰されるようにして、木質壁単体２０同士の連結部２１における対向面２２，２３に密に接し、対向面２２，２３間を気密に維持することとなる。
【００４４】
この実施の形態の壁構造体は、以上のようにして構築することができる。
なお、下プレート１００は、木質壁単体２０を一枚設置する毎に設置していくようにすることもできる。
【００４５】
この実施の形態の壁構造体ないしその構築方法によっても、第１の実施の形態により得られる（ａ）の作用効果が得られる。
さらに、この実施の形態の壁構造体によれば、下固定部材と連結部材とをプレート１００及びピンで兼用させ、また上固定部材と連結部材もプレート１００及びピンで兼用させてあるので、構造が簡素化される。また、簡単に構築することができる。
なお、この実施の形態においても、ガイド部材１４を設けることができ、その場合には、上記第１の実施の形態により得られる（ｂ）（ｃ）（ｄ）の作用効果も得られる。
【００４６】
＜第４の実施の形態＞
図７は本発明に係る木材による壁構造体およびその構築方法の第４の実施の形態を示す図で、（ａ）は部分省略正面図、（ｂ）は図（ａ）の部分拡大図、（ｃ）は図（ｂ）の部分省略平面図である。図７において、上記第３の実施の形態と同一部分ないし相当する部分には同一の符号を付してある。
【００４７】
この実施の形態が上記第３の実施の形態と主に異なる点は、上記第３の実施の形態においては、プレート１００をピン１１１〜１１４で土台１０または横架材６０に固定していたのに対し、プレート１００に代えて図（ｂ）（ｃ）に示すような連結具１２０を用い、この連結具１２０をボルトナット１２１で土台１０または横架材６０に固定するようにした点にあり、その他の点に主な変わりはない。
図（ｂ）（ｃ）において、１２２はプレート部１２３に溶接したボルトナット固定のためのフランジ、１２３はボルト挿通穴、１２４は座金である。
この実施の形態によっても、上記第３の実施の形態と同様に構築でき（但し、プレート１００をピン１１１〜１１４で土台１０または横架材６０に固定する作業に代えて、連結具１２０をボルトナット１２１で土台１０または横架材６０に固定する作業を行う）、上記第３の実施の形態と同様な作用効果が得られる。
【００４８】
＜第５の実施の形態＞
図８は本発明に係る木材による壁構造体およびその構築方法の第５の実施の形態を示す図で、（ａ）は部分省略正面図、（ｂ）は図（ａ）におけるｂ−ｂ断面図、（ｃ）は図（ａ）におけるｃ−ｃ断面図である。図８において、上記第１〜４の実施の形態と同一部分ないし相当する部分には同一の符号を付してある。
【００４９】
この実施の形態が上記第１〜４の実施の形態と主に異なる点は、気密手段５０を、耐火シリコンガスケットに代えて角材（木材）で構成し、かつこの角材５０で連結部材（複数枚の木質壁単体２０同士を連結し、木質壁単体同士の相対的な上下動と壁面と垂直方向への移動とを防止する連結部材）を構成した点にある。また、土台兼下固定部材を、基礎１１上に固定した断面Ｔ字形のレール１３０で構成するとともに、横架材６０に複数枚の木質壁単体２０を固定する上固定部材も、同様に断面Ｔ字形のレール１４０で構成した点にある。なお、レール１４０は、断面Ｌ字形のレールで構成することもできる。
角材５０は、壁構造体の組立時において、木質壁単体２０と同程度に乾燥している木材を用いることもできるが、木質壁単体２０よりも乾燥している木材を用いる。このようにすると、組立後に、木質壁単体２０の湿気が気密手段５０としての木材に移り、この水分で気密手段５０としての木材が膨張して、より良好な気密状態が得られることとなる。
【００５０】
図９はレール１３０（１４０）を示す図で、（ａ）は正面図、（ｂ）は平面図、（ｃ）は側面図である。
レール１３０（１４０）は、図（ｄ）に示すようなＨ型鋼を、その中央部で切断することにより形成することができる。
レール１３０（１４０）の水平部１３３（１４３）には、これを基礎１１または横架材６０に固定するボルト・ナット１５０（図８参照）のための穴１３１（１４１）が複数設けられており、垂直部１３４（１４４）には、これに木質壁単体２０の下部および上部を固定するドリフトピン１５１（図８参照）のための穴１３２（１４２）が複数設けられている。
【００５１】
図１０はこの実施の形態における木質壁単体２０を示す図で、（ａ）は部分省略正面図、（ｂ）は平面図、（ｃ）は部分省略側面図、（ｄ）は底面図である。この木質壁単体２０の下部および上部には、上記レール１３０，１４０の垂直部１３４（１４４）（図８，図９参照）と密に嵌り合う横溝１６１，１６２と上記ドリフトピン１５１を挿入するための横穴１６３とが設けられている。また、両側面（隣接する木質壁単体２０との対向面２２，２３）には、上記角材５０を嵌め込むための縦溝１６４が設けられている。
下面および上面には、上記ボルトの先端およびナットを逃がすための穴１６５が設けられている。１６６は２階床板設置のための横溝、１６７は１階床板設置のための横溝である。
なお、角材５０の下部および上部にも、上記レール１３０，１４０の垂直部１３４（１４４）と密に嵌り合う上記横溝１６１，１６２と同様の横溝が設けられている。
【００５２】
この実施の形態の壁構造体は、例えば次のようにして構築することができる。
（ｉ）予め、基礎１１に、全ての木質壁単体２０のためのレール１３０をボルト・ナット１５０で固定しておく。この際、図８に示すように、基礎天端および均シモルタル天端１１ａを介して固定する。
その後、第１枚目の木質壁単体２０（２０Ａ）を、その下部の横溝１６１にレール１３０の垂直部１３４を嵌め合わせるようにしてレール１３０上に設置し、第１枚目の木質壁単体２０（２０Ａ）の左端部（図示されていない）を適宜の固定手段で固定するとともに、下部の横穴１６３およびレール１３０の垂直部１３４の穴１３２にドリフトピン１５１を差し込んで第１枚目の木質壁単体２０（２０Ａ）をレール１３０に固定する。なお、基礎１１の上面と木質壁単体２０の下面との間にはシール部材１１ｂを介在させる。
【００５３】
（ｉｉ）第１の実施の形態と同様、第１枚目の木質壁単体２０（２０Ａ）の右側面に設けられている縦溝１６４に、側方から角材５０の左半分を嵌め込んで装着する。ただし、この角材５０は、後述するように第２枚目の木質壁単体２０Ｂを取り付けた後に、両木質壁単体２０，２０の縦溝１６４，１６４で形成される角柱状の空所に、上方から挿入することによっても装着することができる。
【００５４】
（ｉｉｉ）第２枚目の木質壁単体２０Ｂを第１枚目の木質壁単体２０Ａに僅かな間隔をもって隣接させ、上方から落とし込むようにして、あるいは、右方からレール１３０に沿ってスライドさせ、左方の縦溝１６４に上記角材５０の右半分を嵌め合わせるように、かつ第２枚目の木質壁単体２０Ｂを第１枚目の木質壁単体２０Ａに密着させるようにしてレール１３０上に設置し、上記と同様、下部の横穴１６３およびレール１３０の垂直部１３４の穴１３２にドリフトピン１５１を差し込んで第２枚目の木質壁単体２０（２０Ｂ）をレール１３０に固定する。
なお、上述したように、角材５０は、第２枚目の木質壁単体２０Ｂをレール１３０に取り付けた後に、両木質壁単体２０の縦溝１６４で形成される角柱状の空所に、上方から挿入することによっても装着することができる。
【００５５】
（ｉｖ）図８（ｃ）に示すように、両木質壁単体２０Ａ、２０Ｂおよび角材５０の接合部にスクリュー釘１５２を打ち込み、両木質壁単体２０Ａ、２０Ｂおよび角材５０を固定する。これによって、木質壁単体２０間の気密性と連結強度とをより向上させることができる。なお、このスクリュー釘１５２による固定作業は後でまとめて行うこともできる。
【００５６】
（ｖ）以上のような作業を、所望の枚数分だけ繰り返した後、上レール１４０および横架材６０を載せ、ドリフトピン１５１で木質壁単体２０の上部と上レール１４０とを固定するとともに、上レール１４０と横架材６０とをボルトナット１５０で固定する。なお、横架材６０の下面と木質壁単体２０の上面との間にはシール部材６０ｂを介在させる。
【００５７】
この実施の形態の壁構造体は、以上のようにして構築することができる。
構築された状態では、全ての木質壁単体２０同士が上下のレール１３０，１４０、角材５０およびスクリュー釘１５２で連結されてその対向面２２，２３同士が密着する。
また、角材５０は、壁構造体の組立時において、木質壁単体２０よりも乾燥している木材が用いられているので、組立後に、木質壁単体２０の湿気が気密手段５０としての木材に移り、この水分で気密手段５０としての木材が膨張して良好な気密状態が得られることとなる。
【００５８】
この実施の形態の壁構造体ないしその構築方法によっても、第１の実施の形態と同様の作用効果が得られる。
さらに、この実施の形態の壁構造体によれば、気密手段２０が連結部材を兼ねているので、壁構造体を一層容易にかつ簡単な構成で構築することが可能となる。また、木質壁単体２０をレール１３０上に順次落とし込むようにして構築することもできる。
【００５９】
＜第６、第７の実施の形態＞
図１３は本発明に係る木材による壁構造体およびその構築方法の第６の実施の形態を示す図で、（ａ）は部分省略正面図、（ｂ）は図（ａ）の部分拡大図、（ｃ）は図（ｂ）におけるｃ−ｃ断面図である。また、図１４は本発明に係る木材による壁構造体およびその構築方法の第７の実施の形態を示す図で、（ａ）は部分省略正面図、（ｂ）は図（ａ）におけるｂ−ｂ断面図、（ｃ）は図（ａ）におけるｃ−ｃ断面図である。図１５（ｄ）は図１３（ｂ）におけるｄ−ｄ端面図、図１５（ｅ）は図１４（ａ）におけるｅ−ｅ端面図である。これらの図において、上記第３の実施の形態（図６）、または第５の実施の形態（図８）と同一部分ないし相当する部分には同一の符号を付してある。
【００６０】
これらの実施の形態は、図６に示した第３の実施の形態ないし第５の実施の形態を改良したもので、いわば第３の実施の形態（図６）と上記第５の実施の形態（図８）とを組み合わせて両者の有利な部分のみを取り入れたものである。
第６の実施の形態（図１３）が第３の実施の形態（図６）と主に異なる点は、下固定部材兼連結部材であるプレート（例えば鉄板）１００を、複数の木質壁単体２０（例えば一面の壁を構成する多数枚（少なくとも３枚以上）の木質壁単体２０）を連ねる単一の長尺のプレートとした点にある。また、第７の実施の形態（図１４）が第５の実施の形態（図８）と主に異なる点は、上下のレール１３０，１４０に代えてそれぞれ長尺のプレート１００を用いた点にある。
したがって、木質壁単体２０としては、図６に示したものあるいは図８（および図１０）に示したものと同様なものを用いることができるが、図６に示した木質壁単体２０と同様な木質壁単体２０を用いる場合には、図１３に示すように、プレート１００を嵌め込むための切り込み２０ｃは、上下両角部にだけでなく、木質壁単体２０の底部および上部の幅方向（プレート１００の長手方向）全長亘って形成する。また、図８および図１０に示した木質壁単体と同様の木質壁単体２０を用いる場合、その上下面におけるボルトナットの逃がし穴１６５は形成不要である。
また、第６の実施の形態（図１３）においては、土台１０および横架材６０に形成する、プレート１００を嵌め込むための切り込み１８，６４も、プレート１００の長さに合わせたものとする。
また、第７の実施の形態（図１４）においては、下プレート１００の下略半分は、基礎１１に埋め込んだアンカーボルト１１ｃにナット１５３で固定した土台１０にドリフトピン１５１で固定し、横架材６０には、上プレート１００を嵌め込むための切り込み６４を形成する。なお、図１４において、１０ａはナット１５３を装着するために土台１０に開けた穴である。また、図１４に示すものでは、プレート１００の下部とアンカーボルト１１ｃおよびナット１５３の上部とは干渉していないが、プレート１００の下部を長くしたい場合には、上記干渉を防止するために、アンカーボルト１１ｃおよびナット１５３の上部を逃がす切り欠きをプレート１００の下部に形成する。
【００６１】
これらの実施の形態の壁構造体は、上記第３の実施の形態（図６）の構築方法と第５の実施の形態（図８）の構築方法とを適宜組み合わせて構築することができ、例えば次のようにして構築することができる。
（ｉ）予め、土台１０に、全ての木質壁単体２０のためのプレート（下プレート）１００を差し込み、ピン１１１〜１１４、または１５１で固定しておく（図１３または図１４）。
その後、第１枚目の木質壁単体２０（２０Ａ）を、その下部の切り込み２０ｃにプレート１００の上部を嵌め合わせるようにして土台１０上に設置し、第１枚目の木質壁単体２０（２０Ａ）の左端部（図示されていない）を適宜の固定手段で固定し、また、下部をピン１１１等（またはドリフトピン１５１）でプレート１００および土台１０に固定する。
【００６２】
（ｉｉ）第３の実施の形態同様、第１枚目の木質壁単体２０（２０Ａ）の右側面に設けられている切り込み凹溝２８に、耐火シリコンガスケット５０の平面部５１を合わせるようにして耐火シリコンガスケット５０を装着する（図１３）。
または、第５の実施の形態同様、第１枚目の木質壁単体２０（２０Ａ）の右側面に設けられている縦溝１６４に、側方から角材５０の左半分を嵌め込んで装着する（図１４）。ただし、この角材５０は、後述するように第２枚目以降の木質壁単体２０Ｂを取り付けた後に、両木質壁単体２０，２０の縦溝１６４，１６４で形成される角柱状の空所に、上方から挿入することによっても装着することができる。
【００６３】
（ｉｉｉ）第３の実施の形態同様、第２枚目の木質壁単体２０Ｂを第１枚目の木質壁単体２０Ａに僅かな間隔をもって隣接させ、上方から落とし込むようにして、また、下部の切り込み２０ｃをプレート１００の上部に嵌め合わせつつ、かつ第２枚目の木質壁単体２０Ｂを第１枚目の木質壁単体２０Ａに密着させるようにしてプレート１００および土台１０上に設置し、ピンで固定する（図１３）。
または、第５の実施の形態同様、第２枚目の木質壁単体２０Ｂを第１枚目の木質壁単体２０Ａに僅かな間隔をもって隣接させ、上方から落とし込むようにして、あるいは、右方からプレート１００をガイドレールとしてこれに沿ってスライドさせ、左方の縦溝１６４に上記角材５０の右半分を嵌め合わせるように、かつ第２枚目の木質壁単体２０Ｂを第１枚目の木質壁単体２０Ａに密着させるようにしてプレート１００および土台１０上に設置し、プレート１００の穴にドリフトピン１５１を差し込んで第２枚目の木質壁単体２０（２０Ｂ）をプレート１００および土台１０（または基礎１１）に固定する（図１４）。なお、この場合、角材５０は、第２枚目以降の木質壁単体２０Ｂをプレート１００に取り付けた後に、両木質壁単体２０の縦溝１６４で形成される角柱状の空所に、上方から挿入することによっても装着することができる。
【００６４】
（ｉｖ）第５の実施の形態と同様の木質壁単体２０を用いた場合には、両木質壁単体２０Ａ、２０Ｂおよび角材５０の接合部にスクリュー釘１５２（図８参照）を打ち込み、両木質壁単体２０Ａ、２０Ｂおよび角材５０を固定する。なお、このスクリュー釘１５２による固定作業は後でまとめて行うこともできる。
【００６５】
（ｖ）以上のような作業を、所望の枚数分だけ繰り返した後、上プレート１００および横架材６０を載せ、ピン１１５等（または１５１）で木質壁単体２０の上部とプレート１００とを固定するとともに、プレート１００と横架材６０とをピン１１１等で固定する。
【００６６】
以上のようにして、上下のプレート１００に全てのピン１１１〜１１８（または１５１）が差し込まれた状態では、全ての木質壁単体２０同士がプレート１００及びピンで連結されてその対向面２２，２３同士が密着すると共に、耐火シリコンガスケットまたは角材５０によって、木質壁単体２０同士の連結部２１における対向面２２，２３２，２３間が気密に維持されることとなる。
【００６７】
これらの実施の形態の壁構造体は、例えば以上のようにして構築することができる。
なお、下プレートだけでなく上プレート（したがって横架材６０）も予め設置しておき、上下のプレートをガイドレールとして木質壁単体２０を順次横方向からスライドさせるようにして設置することもできる。
また、ピンによる固定作業は後でまとめて行うこともできる。
【００６８】
これらの実施の形態の壁構造体ないしその構築方法によれば、上記第３の実施の形態ないし第５の実施の形態と同様な作用効果が得られる。
さらに、これらの実施の形態によれば次のような作用効果が得られる。
すなわち、第５の実施の形態（図８，図９）では、レール１３０（１４０）の水平部１３３（１４３）の側端面１３３ａ（１４３ａ）が室内近くおよび室外近くに位置することから（図８（ｂ）参照）、この側端面１３３ａ（１４３ａ）に結露が生じやすく、これによって腐食が生じやすいという難点があるのに対し、この実施の形態によれば、図１５（ｂ）に示すようにプレート１００が木質壁単体２０と土台１０で覆われた状態となり、これら木質壁単体２０と土台１０は断熱性に優れていることから、プレート１００に結露が生じにくくなり、したがって、腐食しにくくなるという効果が得られる。これと同様の効果は、第１〜第３の実施の形態によってもそれぞれ得られる。
なお、第７の実施の形態（図１４）では、ドリフトピン１５１が室内側から挿入されており、その先端は、室外へは達していないので、ドリフトピン１５１に結露が生じるということもない。
【００６９】
＜その他の実施の形態＞
１．図５に示した実施の形態においては、図１２（図５（ｅ）に相当する図）に示すように、木質壁単体２０（２０Ａ）、２０（２０Ｂ）同士の連結部２１における対向面２２，２３にそれぞれ切り込み凹溝２８を設け、気密手段５０が丁度中間部に配置されるようにすることもできる。図６、図７に示した実施の形態においても同様である。
２．第１〜第４の実施の形態における気密手段５０は、耐火シリコンガスケットに代えて上記ガイド部材１４と同様の角材（木材）で構成することもできる。この場合、気密手段としての木材は、壁構造体の組立時において、木質壁単体２０と同程度に乾燥している木材を用いることもできるが、木質壁単体２０よりも乾燥している木材を用いる。このようにすると、組立後に、木質壁単体２０の湿気が気密手段５０としての木材に移り、この水分で気密手段５０としての木材が膨張して良好な気密状態が得られることとなる。この点、上記ガイド部材１４，１４’も同様であり、ガイド部材１４，１４’としての木材は、壁構造体の組立時において、木質壁単体２０よりも乾燥している木材を用いることが望ましい。
３．図５に示した実施の形態において、土台１０に対し、木質壁単体２０を上方から落とし込むようにして設置する場合には、ピン４１および木質壁単体２０の横穴２７ａは、土台１０の横穴１７およびピン４２と同方向（図５の紙面と直交する方向）に設ける。
４．図１１に示すように、この壁構造体を複数階（例えば図示のように２階）に跨って構築する場合には、木質壁単体２０の中間部に上階（図の場合２階）の床を支えるコの字形鋼１７０（あるいは梁、あるいは鉄板）をボルトナット１５３で固定する。このような構成とすることにより、木質壁単体２０同士がさらに強固に連結されることとなる。したがって、このコ字形鋼１７０と上述した上下の固定部材とで木質壁単体２０同士の十分な連結強度が得られれば前述したスクリュー釘１５２は不要となり（あるいは本数を少なくでき）、美観を一層向上させることができる。
【００７０】
以上、本発明の実施の形態について説明したが、本発明は上記の実施の形態に限定されるものではなく、本発明の要旨の範囲内において適宜変形実施可能である。また、上記実施の形態を適宜組み合わせることも可能である。
【００７１】
【図面の簡単な説明】
【図１】本発明に係る木材による壁構造体およびその構築方法の第１の実施の形態を示す部分省略斜視図。
【図２】同じく詳細を示す図で、（ａ）は図１における部分省略縦断面図、（ｂ）は図（ａ）におけるｂ−ｂ断面図、（ｃ）は図（ｂ）の部分拡大図、（ｄ）は図（ａ）における右側の木質壁単体２０Ｂを取り外して矢印ｄ方向から見た図、（ｅ）は図（ｄ）の部分拡大図。
【図３】主として構築方法を示す分解斜視図。
【図４】本発明に係る木材による壁構造体およびその構築方法の第２の実施の形態を示す部分省略正面図。
【図５】同じく詳細を示す図で、（ａ）は図４における部分省略縦断面図、（ｂ）は図（ａ）の左側面図、（ｃ）は図（ａ）におけるｃ−ｃ断面図、（ｄ）は図（ａ）における部分省略ｄ−ｄ拡大断面図、（ｅ）は図（ｃ）の部分拡大図、（ｆ）は図（ａ）における部分省略ｆ−ｆ拡大断面図。
【図６】本発明に係る木材による壁構造体およびその構築方法の第３の実施の形態を示す図で、（ａ）は部分省略正面図、（ｂ）は図（ａ）の部分拡大図、（ｃ）は図（ｂ）におけるｃ−ｃ断面図。
【図７】本発明に係る木材による壁構造体およびその構築方法の第４の実施の形態を示す図で、（ａ）は部分省略正面図、（ｂ）は図（ａ）の部分拡大図、（ｃ）は図（ｂ）の部分省略平面図。
【図８】本発明に係る木材による壁構造体およびその構築方法の第５の実施の形態を示す図で、（ａ）は部分省略正面図、（ｂ）は図（ａ）におけるｂ−ｂ断面図、（ｃ）は図（ａ）におけるｃ−ｃ断面図。
【図９】レール１３０（１４０）を示す図で、（ａ）は正面図、（ｂ）は平面図、（ｃ）は側面図。
【図１０】第５の実施の形態における木質壁単体２０を示す図で、（ａ）は部分省略正面図、（ｂ）は平面図（ｃ）は部分省略側面図、（ｄ）は底面図。
【図１１】他の実施の形態を示す部分断面図。
【図１２】他の実施の形態を示す部分横断面図で図５（ｅ）に相当する図。
【図１３】本発明に係る木材による壁構造体およびその構築方法の第６の実施の形態を示す図で、（ａ）は部分省略正面図、（ｂ）は図（ａ）の部分拡大図、（ｃ）は図（ｂ）におけるｃ−ｃ断面図。
【図１４】本発明に係る木材による壁構造体およびその構築方法の第７の実施の形態を示す図で、（ａ）は部分省略正面図、（ｂ）は図（ａ）におけるｂ−ｂ断面図、（ｃ）は図（ａ）におけるｃ−ｃ断面図。
【図１５】（ｄ）は図１３（ｂ）におけるｄ−ｄ端面図、（ｅ）は図１４（ａ）におけるｅ−ｅ端面図。
【図１６】（ａ）（ｂ）は従来技術の説明図。
【符号の説明】
１０　　土台
１４　　ガイド部材
２０　　木質壁単体
２１　　連結部
２２，２３　　対向面
３０，８０，１００，１２０，１３０　　下固定部材
４０，１００，１２０　　連結部材
５０　　気密手段
６０　　横架材
７０，９０，１００，１２０，１４０　　上固定部材
【図１】
2004143911.tif 000003
【図２】
2004143911.tif 000004
【図３】
2004143911.tif 000005
【図４】
2004143911.tif 000006
【図５】
2004143911.tif 000007
【図６】
2004143911.tif 000008
【図７】
2004143911.tif 000009
【図８】
2004143911.tif 000010
【図９】
2004143911.tif 000011
【図１０】
2004143911.tif 000012
【図１１】
2004143911.tif 000013
【図１２】
2004143911.tif 000014
【図１３】
2004143911.tif 000015
【図１４】
2004143911.tif 000016
【図１５】
2004143911.tif 000017
【図１６】
2004143911.tif 000018